(57)【要約】【課題】電源を用いず配線を簡略化することができ、センサのように開閉又は施錠を検知することができる建具を提供する。【解決手段】片開きドア１０は、ドア枠１１に蝶番１２を介して組み付けられている。片開きドア１０とドア枠１１は、起電力を生じさせて発電する起電手段２０と、当該起電手段から給電されたとき、リモコン信号を送信する送信手段２１を有している。起電手段２０は、磁石２２と、コイル２３からなる。コイル２３は、鉄芯からなるコアに電線を複数回巻回して形成されている。当該コイル２３は、電力を出力するコイル出力端子２４を有している。磁石２２とコイル２３は片開きドア１０とドア枠の上端角隅部近傍で対向配置されている。片開きドア１０の開閉動作にともなって、磁石２２とコイル２３は互いに接近離反し、コイル２３に生じた起電力を基に送信手段２１はリモコン信号を電子機器５０へ送信して、遠隔操作する。【選択図】図１
2016079579.tif 000002
【特許請求の範囲】
【請求項１】
建具枠の開口部へ開閉可能に組み付けた建具であって、
コイルと、前記建具の開閉動作に伴って前記コイルに接近離反して前記コイルに起電力を生じさせる磁石からなる起電手段と、
当該起電手段から給電され、各種電子機器を遠隔操作するリモコン信号を前記電子機器へ送信する送信手段を備えたことを特徴とする建具。
【請求項２】
前記建具枠と前記建具のうちいずれか一方に前記コイルを固定し、他方に前記磁石を固定したことを特徴とする請求項１に記載の建具。
【請求項３】
前記起電手段として、押しボタンと、前記コイルと、前記押しボタンに取り付けられ、前記押しボタンの操作に伴い前記コイルに接近離反する前記磁石から成るプッシュリモコンを備え、
前記押しボタンが前記建具の開閉によって操作されるように前記プッシュリモコンを前記建具枠又は前記建具に固定したことを特徴とする請求項１に記載の建具。
【請求項４】
前記建具に固定される中空体状のドラムと、当該ドラムに回動可能に組み込まれた軸と、当該軸に連結された把手を有し、
当該把手の回動操作によって前記軸を回動させて開閉する建具であって、
建具枠の開口部へ開閉可能に組み付けた建具であって、
前記軸と、前記ドラムのうちいずれか一方に前記コイルを固定し、他方に前記磁石を固定したことを特徴とする請求項１に記載の建具。
【請求項５】
前記建具枠がドア枠であって、前記建具が開きドアであることを特徴とする請求項２に記載の建具。
【請求項６】
前記建具枠が引き戸枠であって、前記建具が引き戸であることを特徴とする請求項２に記載の建具。
【請求項７】
記建具枠が窓枠であって、前記建具が前記窓枠の一辺に軸支されて、前記開口部に対して前後方向に回動可能なスイング窓であることを特徴とする請求項２に記載の建具。
【請求項８】
建具枠の開口部へ、開閉可能に組み付けた建具であって、
前記開口部を閉じて前記建具を施錠する施錠手段と、
コイルと、前記施錠手段の施解錠動作に伴って前記コイルに接近離反して前記コイルに起電力を生じさせる磁石から成る起電手段と、
当該起電手段から給電され、各種電子機器を遠隔操作するリモコン信号を前記電子機器へ送信する送信手段を備えたことを特徴とする建具。
【請求項９】
前記建具が引き戸であって、
当該引き戸は、クレセント錠と錠受けとからなる前記施錠手段を有し、
前記クレセント錠と前記錠受けのうちいずれか一方に前記コイルを固定し、他方に前記磁石を固定したことを特徴とする請求項８に記載の建具。
【請求項１０】
前記建具が引き戸であって、
当該引き戸は、クレセント錠と錠受けとからなる前記施錠手段を有し、
前記引き戸の側縁部に固定した前記クレセント錠のベース部に、当該クレセント錠の不用意な解錠を防止するロックボタンを設け、
当該ロックボタンの下面側に、前記ロックボタンの上面側に向って、前記ロックボタンを付勢する板バネを配置し、
前記起電手段として、前記ベース部内に配した前記コイルと、当該コイルと対向するように前記板バネに取り付けられ、前記ロックボタンの操作に伴い前記コイルに接近離反する前記磁石とを設け、
前記クレセント錠を施解錠したとき、
前記板バネの復原力によって前記磁石が前記コイルに対して接近離反して前記コイルに起電力が生じるようにしたことを特徴とする請求項８に記載の建具。
【請求項１１】
前記電子機器が、デジタルカメラであって、
当該デジタルカメラのシャッターが、前記リモコン信号によって遠隔操作されるようにしたことを特徴とする請求項１若しくは請求項８に記載の建具。
【請求項１２】
前記電子機器が、前記リモコン信号の入力に対して光又は音声で応答する電子チャイム装置であることを特徴とする請求項１若しくは請求項８に記載の建具。
【請求項１３】
前記電子チャイム装置が、回転灯或いはルームランプ又はこれらに類する灯火類からなる発光手段と、当該灯火類の点滅を制御する発光制御手段を有していることを特徴とする請求項１２に記載の建具。
【請求項１４】
前記電子チャイム装置が、メロディ、メッセージ、或いは警報音又はこれらに類する音声類を出力する音声出力手段と、当該音声類を制御する音声制御手段を有していることを特徴とする請求項１２に記載の建具。
【請求項１５】
前記電子チャイム装置が、前記デジタルカメラを有するようにしたことを特徴とする請求項１１若しくは請求項１２に記載の建具。
【請求項１６】
前記電子機器が、前記リモコン信号を中継する信号中継器であることを特徴とする請求項１若しくは請求項８に記載の建具。
【請求項１７】
前記電子機器が、前記リモコン信号の入力に応答して、前記建具をロックするオートロック手段を有する電気錠であることを特徴とする請求項１若しくは請求項８に記載の建具。
【発明の詳細な説明】
【技術分野】
【０００１】
本発明は、建具枠の開口部へ開閉可能に組み付けた建具に関するものである。
【背景技術】
【０００２】
従来、特開２０１４−１３９７４４号に開示されている防犯システムのように、建具の開閉又は施錠を検知するセンサを有する防犯システムが知られている。
【先行技術文献】
【特許文献】
【０００３】
【特許文献１】特開２０１４−１３９７４４号公報
【発明の概要】
【発明が解決しようとする課題】
【０００４】
上記の防犯システムは、センサ、当該センサが出力した検知信号に基づいて警報音を発するスピーカ、及び制御装置といった各装置を電力で稼働させている。そのため、当該各装置には、たとえば家庭用１００Ｖ電源又は電池といった電源が必要である。また、当該各装置間には、電線、信号線といったワイヤやコードが配線されている。
しかしながら、上記の防犯システム用に家庭用１００Ｖ電源を用意するのは手間がかかる。また電池を使用する場合には当該電池が消耗したときに交換の手間がかかる。さらに、各装置間の配線作業には手間がかかるうえ、頻繁に動作する建具に配線することは、ケーブルが建具と建具枠の間に挟まれて断線するおそれもあり注意が必要である。
【０００５】
したがって、本発明が解決しようとする課題は、電源を用いず配線を簡略化することができ、センサのように開閉又は施錠を検知することができる建具を提供することである。
【課題を解決するための手段】
【０００６】
請求項１に記載の建具は、建具枠の開口部へ開閉可能に組み付けた建具であって、
コイルと、前記建具の開閉動作に伴って前記コイルに接近離反して前記コイルに起電力を生じさせる磁石からなる起電手段と、
当該起電手段から給電され、各種電子機器を遠隔操作するリモコン信号を前記電子機器へ送信する送信手段を備えたことを特徴とする。
【０００７】
請求項２に記載の建具は、請求項１に記載の発明において、前記建具枠と前記建具のうちいずれか一方に前記コイルを固定し、他方に前記磁石を固定したことを特徴とする。
【０００８】
請求項３に記載の建具は、請求項１に記載の発明において、前記起電手段として、押しボタンと、前記コイルと、前記押しボタンに取り付けられ、前記押しボタンの操作に伴い前記コイルに接近離反する前記磁石から成るプッシュリモコンを備え、
前記押しボタンが前記建具の開閉によって操作されるように前記プッシュリモコンを前記建具枠又は前記建具に固定したことを特徴とする。
【０００９】
請求項４に記載の建具は、請求項１に記載の発明において、前記建具に固定される中空体状のドラムと、当該ドラムに回動可能に組み込まれた軸と、当該軸に連結された把手を有し、
当該把手の回動操作によって前記軸を回動させて開閉する建具であって、
建具枠の開口部へ開閉可能に組み付けた建具であって、
前記軸と、前記ドラムのうちいずれか一方に前記コイルを固定し、他方に前記磁石を固定したことを特徴とする。
【００１０】
請求項５に記載の建具は、請求項２に記載の発明において、前記建具枠がドア枠であって、前記建具が開きドアであることを特徴とする。
【００１１】
請求項６に記載の建具は、請求項２に記載の発明において、前記建具枠が引き戸枠であって、前記建具が引き戸であることを特徴とする。
【００１２】
請求項７に記載の建具は、請求項２に記載の発明において、記建具枠が窓枠であって、前記建具が前記窓枠の一辺に軸支されて、前記開口部に対して前後方向に回動可能なスイング窓であることを特徴とする。
【００１３】
請求項８に記載の建具は、建具枠の開口部へ、開閉可能に組み付けた建具であって、
前記開口部を閉じて前記建具を施錠する施錠手段と、
コイルと、前記施錠手段の施解錠動作に伴って前記コイルに接近離反して前記コイルに起電力を生じさせる磁石から成る起電手段と、
当該起電手段から給電され、各種電子機器を遠隔操作するリモコン信号を前記電子機器へ送信する送信手段を備えたことを特徴とする。
【００１４】
請求項９に記載の建具は、請求項８に記載の発明において、前記建具が引き戸であって、
当該引き戸は、クレセント錠と錠受けとからなる前記施錠手段を有し、
前記クレセント錠と前記錠受けのうちいずれか一方に前記コイルを固定し、他方に前記磁石を固定したことを特徴とする。
【００１５】
請求項１０に記載の建具は、請求項８に記載の発明において、前記建具が引き戸であって、
当該引き戸は、クレセント錠と錠受けとからなる前記施錠手段を有し、
前記引き戸の側縁部に固定した前記クレセント錠のベース部に、当該クレセント錠の不用意な解錠を防止するロックボタンを設け、
当該ロックボタンの下面側に、前記ロックボタンの上面側に向って、前記ロックボタンを付勢する板バネを配置し、
前記起電手段として、前記ベース部内に配した前記コイルと、当該コイルと対向するように前記板バネに取り付けられ、前記ロックボタンの操作に伴い前記コイルに接近離反する前記磁石とを設け、
前記クレセント錠を施解錠したとき、
前記板バネの復原力によって前記磁石が前記コイルに対して接近離反して前記コイルに起電力が生じるようにしたことを特徴とする。
【００１６】
請求項１１に記載の建具は、請求項１若しくは請求項８に記載の発明において、前記電子機器が、デジタルカメラであって、
当該デジタルカメラのシャッターが、前記リモコン信号によって遠隔操作されるようにしたことを特徴とする。
【００１７】
請求項１２に記載の建具は、請求項１若しくは請求項８に記載の発明において、前記電子機器が、前記リモコン信号の入力に対して光又は音声で応答する電子チャイム装置であることを特徴とする。
【００１８】
請求項１３に記載の建具は、請求項１２に記載の発明において、前記電子チャイム装置が、回転灯或いはルームランプ又はこれらに類する灯火類からなる発光手段と、当該灯火類の点滅を制御する発光制御手段を有していることを特徴とする。
【００１９】
請求項１４に記載の建具は、請求項１２に記載の発明において、前記電子チャイム装置が、メロディ、メッセージ、或いは警報音又はこれらに類する音声類を出力する音声出力手段と、当該音声類を制御する音声制御手段を有していることを特徴とする。
【００２０】
請求項１５に記載の建具は、請求項１１若しくは請求項１２に記載の発明において、前記電子チャイム装置が、前記デジタルカメラを有するようにしたことを特徴とする。
【００２１】
請求項１６に記載の建具は、請求項１若しくは請求項８に記載の発明において、前記電子機器が、前記リモコン信号を中継する信号中継器であることを特徴とする。
【００２２】
請求項１７に記載の建具は、請求項１若しくは請求項８に記載の発明において、前記電子機器が、前記リモコン信号の入力に応答して、前記建具をロックするオートロック手段を有する電気錠であることを特徴とする。
【発明の効果】
【００２３】
本願発明に係る建具によれば、当該建具の開閉動作又は施解錠動作にともなって、起電力を生じる起電手段を備えるようにした。これにより、本願発明に係る建具は、建具が開閉したとき又は施解錠されたとき、家庭用１００Ｖ電源又は電池といった外部電源を用いることなくセンサのように開閉又は施錠を検知することができる。
さらに、外部電源を用いないので、電池交換の手間を省くことができたり、半永久的に動作させることができたり、コイルと磁石からなる単純な構成ゆえに、容易に防水構造を成すことができる。
また、建具の開閉動作又は施錠動作にともなって、起電手段から電力が供給され、電子機器を遠隔操作するリモコン信号を送信する送信手段を備えるようにした。これにより、本願発明に係る建具は、建具が開閉したとき又は施解錠されたとき、リモコン信号を送信して各種電子機器を遠隔操作することができる。すなわち、センサのように動作する本願発明に係る建具と各種電子機器間を無線通信回線で接続することになるので、配線を簡略化することができる。
【００２４】
そして、本願発明に係る建具によれば、あたかもセンサのように建具の開閉又は施解錠を検知する検知機能を備えるようにした。当該検知機能では、センサによる検知信号に相当する起電力の発生に応じてリモコン信号を送信するようにした。当該リモコン信号は、各種電子機器、たとえば、デジタルカメラ、電子チャイム装置、又は電子錠を遠隔操作するようにした。
これによって、建具近傍をデジタルカメラで撮影して記録を取り、ライトを発光させたり、音声を流すようにした電子チャイム装置で当該建具の開閉を報知し、また不正な開閉動作・施解錠動作に対しては警報を発し、閉鎖された建具を電子錠で自動的に施錠することができるので、従来のような防犯システムを構成することができる。
【図面の簡単な説明】
【００２５】
【図１】第１実施例に係る建具の構成の概略を示す斜視図である。
【図２】第１実施例に係る建具の構成の概略を示す上部端面図である。
【図３】第１実施例に係る建具に取り付けた起電手段と送信手段の構成の概略を示すブロック図である。
【図４】第１実施例に係る建具から送信したリモコン信号を受信する受信ユニットの他の実施例の構成の概略を示す斜視図である。
【図５】第１実施例に係る建具から送信したリモコン信号を受信する受信ユニットの他の実施例の構成の概略を示すブロック図である。
【図６】第１実施例に係る建具が遠隔操作する電子機器がデジタルカメラである場合の構成の概略を示す斜視図である。
【図７】第１実施例に係る建具が遠隔操作する電子機器が電子チャイム装置である場合の構成の概略を示す斜視図である。
【図８】第１実施例に係る建具から送信したリモコン信号を受信する受信ユニットの他の実施例の構成の概略を示す斜視図である。
【図９】第１実施例に係る建具から送信したリモコン信号を受信する受信ユニットの他の実施例の構成の概略を示すブロック図である。
【図１０】第１実施例に係る建具が遠隔操作する電子機器が信号中継器である場合の構成の概略を示す斜視図である。
【図１１】第１実施例に係る建具が遠隔操作する電子機器が電子錠である場合の構成の概略を示す斜視図である。
【図１２】第２実施例に係る建具の構成の概略を示す正面図である。
【図１３】第２実施例に係る建具の構成の概略を示す上部端面図である。
【図１４】第３実施例に係る建具の構成の概略を示す斜視図である。
【図１５】第３実施例に係る建具の構成の概略を示す横部端面図である。
【図１６】第４実施例に係る建具の構成の概略を示す斜視図である。
【図１７】第４実施例に係る建具の構成の概略を示す上部端面図である。
【図１８】第４実施例に係る建具に設けたプッシュリモコンの構成の概略を示すブロック図である。
【図１９】第５実施例に係る建具の構成の概略を示す上部端面図である。
【図２０】第６実施例に係る建具に設けたレバーハンドルの構成の概略を示す分解斜視図である。
【図２１】第６実施例に係る建具に設けたレバーハンドルの構成の概略を示す端面図である。
【図２２】第７実施例に係る建具の構成の概略を示す部分拡大斜視図である。
【図２３】第７実施例に係る建具に設けたロックレバーの構成の概略を示す部分拡大図である。
【図２４】第７実施例に係る建具に設けたロックレバーの構成の概略を示す拡大部品図である。
【図２５】第８実施例に係る建具に設けたクレセント錠の構成の概略を示す部分拡大斜視図である。
【図２６】第９実施例に係る建具に設けたクレセント錠の構成の概略を示す部分拡大斜視図である。
【図２７】第９実施例に係る建具に設けたクレセント錠のベースの構成の概略を示す部分拡大斜視図である。
【実施例１】
【００２６】
本願発明に係る建具の第１実施例を添付した図面にしたがって説明する。
第１実施例に係る建具は、開きドアである。当該開きドアは、ドア枠に開閉可能に組み付けられている。開きドアは、ドア枠の縦枠に少なくとも一つの蝶番を介して組み付けられ、当該蝶番を軸に開閉可能に形成されている。開きドアは、ドア枠に１枚のドアを組み付けた片開きドア、２枚のドアを組み付けた両開きドア、両開きドアの２枚のドア板の大きさが異なる親子開きドアが知られている。
本実施例では片開きドア１０を例に挙げて説明する。
図１は、本実施例に係る片開きドアとドア枠の構成の概略を説明する斜視図である。図２は、本実施例に係る片開きドアとドア枠の構成の概略を示す上部端面図である。
【００２７】
片開きドア１０は、図１及び図２に示すように、縦長の窓を備えた矩形状の平板からなり、ドア枠１１に少なくとも一つの蝶番１２を介して組み付けられている。
蝶番１２は、互いに対向する片開きドア１０の一側縁１０ａと、ドア枠１１の一縦枠１１ａに形成された蝶番取付部（図示略）に取り付けられている。これによって、片開きドア１０は、蝶番１２を軸に開閉可能にドア枠１１へ組み付けられている。
片開きドア１０の他側縁１０ｂ側には腰高の高さに片開きドア１０を挟んで対を成すレバーハンドル１３，１３が配されている。当該レバーハンドル１３，１３は、レバーハンドル１３，１３の回動に連動して回動可能な軸（図示略）で連結されている。当該軸は、軸の回動に連動して片開きドア１０の他側縁１０ｂからドア枠１１の他縦枠１１ｂに向って出入可能なラッチボルト１４に係合されている。
本実施例においては、回動操作を容易に行うことができるレバーハンドル１３，１３を例示したが、これに限定されるものでは無く、ドアノブ（握り玉）を用いても、また表側からは引く操作、裏側からは押す操作によってドアの開閉操作を行うことができるプッシュプルハンドルを用いても良い。
【００２８】
ドア枠１１は、他縦枠１１ｂの腰高の位置に凹部が形成されている。当該凹部にはラッチボルト１４の先端部が挿嵌可能なラッチストライク（図示略）が形成されている。ラッチストライクは、凹部に嵌合されるラッチストライクボックスと、当該ラッチストライクボックスを覆蓋固定するラッチストライクプレートからなる。当該ラッチストライクプレートは、中央部にラッチボルト１４の断面形状より一回り大きな穴が形成されている。ラッチストライクボックスをラッチストライクプレートで覆蓋固定することによって、凹部からラッチストライクボックスが抜脱することを防止することができ、ラッチストライクボックスへラッチボルト１４をスムーズに誘導することができる。
そして、片開きドア１０を閉じたとき、ラッチボルト１４の先端部がラッチストライクに挿嵌される。これによって、片開きドア１０はドア枠１１へ仮締めされる。仮締めされた片開きドア１０は、風にあおられたりしたときに不意に開放されることを防止することができる。
【００２９】
レバーハンドル１３，１３の近傍には、所定のキーによって施解錠される施錠手段が設けられている。
施錠手段は、片開きドアの表側に配されたシリンダー錠（図示略）と、片開きドアの裏側に配されたサムターン１５と、シリンダー錠の施解錠動作又はサムターン１５の回動動作に連動して片開きドアを本締めするデッドボルト１６からなる。
シリンダー錠は、所定のキーが挿嵌可能な鍵穴が形成された円柱形状の内筒と、当該内筒に重ね合わされた円筒形状の外筒を有し、内筒と外筒との境目には、内筒の回動を阻止するように複数本のピンタンブラーが配されている。シリンダー錠の先端はデッドボルト１６を挟んでサムターン１５と係合している。
デッドボルト１６に対向するドア枠１１の他縦枠１１ｂには、当該デッドボルト１６の先端が挿嵌可能なデッドストライク（図示略）が形成されている。デッドストライクもまた、上記のラッチストライクと同様に、他縦枠１１ｂに形成した凹部に嵌合されるデッドストライクボックスと、当該デッドストライクボックスを覆蓋固定するデッドストライクプレートからなる。
これにより、キーまたはサムターン１５を操作すると、シリンダー錠が回動してデッドボルト１６をデッドストライクへ嵌合し、片開きドア１０を施錠することができる。
なお、ラッチボルト１４とデッドボルト１６を兼用し、一つのストライクに挿嵌されるようにしても良い。
【００３０】
片開きドア１０とドア枠１１は、起電力を生じさせて発電する起電手段２０と、当該起電手段から給電されたとき、リモコン信号を送信する送信手段２１を有している。図３に起電手段２０と送信手段２１の構成の概略を示す。
【００３１】
起電手段２０は、磁石２２と、コイル２３からなる。コイル２３は、鉄芯からなるコアに電線を複数回巻回して形成されている。当該コイル２３は、電力を出力するコイル出力端子２４を有している。
図１に示すように、磁石２２は、蝶番１２が取り付けられた片開きドア１０の一側縁１０ａ側の上端角隅部近傍に、Ｌ字状のブラケット２５を介して固定されている。コイル２３は、片開きドア１０を閉じたときに磁石２２と互いに近接対向するように、ドア枠１１の一縦枠１１ａ側、上端角隅部に固定されている。
片開きドア１０が閉鎖されたとき、磁石２２とコイル２３は接近し、片開きドア１０が開放されたとき、磁石２２とコイル２３は離反するように形成されている。
これにより、片開きドア１０の開閉動作にともなって、磁石２２とコイル２３は互いに接近離反することができる。そして、磁石２２とコイル２３が接近離反することによってコイル２３には起電力が生じる。当該起電力に係る電力は、コイルに設けたコイル出力端子２４から送信手段２１へ供給可能に形成されている。
【００３２】
送信手段２１は、ドア枠１１の一縦枠１１ａ側、上端角隅部に配したコイル２３の近傍に筐体２１ａに収められて配置されている（図１及び図２への図示略）。送信手段２１は、図３に示すように、電源入力端子２６と、リモコン信号出力端子２７と、送信アンテナ２８を有している。
電源入力端子２６は、コイル出力端子２４と接続され、コイル２３で発生した起電力に係る電力が入力可能に形成されている。
送信手段２１は、電力が供給されたとき、リモコン信号を送信するように形成されている。リモコン信号は、予め設定された所定の周波数帯域で所定の通信規格に準拠するように形成されている。これにより、起電手段における起電力の発生に応じて、すなわち、片開きドア１０の開閉動作に応じて、リモコン信号が送信される。リモコン信号の送信は、リモコン信号出力端子２７から、送信アンテナ２８を介して、無線通信回線３０に出力され、送信されたリモコン信号は、受信ユニット４０で受信される。
【００３３】
また、送信手段２１は、複数の受信ユニット４０に対して混信を防止するため、リモコン信号に係る周波数をチューニング可能なチューニング手段を有している。
さらに、送信手段２１は、リモコン信号に係る信号搬送波の波形整形回路を有している。波形整形回路は、たとえば、微分回路、積分回路、クリップ回路、スライス回路、クランプ回路又はこれらに類する回路からなり、発生した起電力に係る単一パルス形状の電圧波形に基づいて、単一波、方形波、のこぎり波又はこれらに類する所定のパルス波形に整形するように形成されている。これにより、リモコン信号を一回だけ送信したり、複数回繰り返して送信することができる。そのため、当該リモコン信号が遠隔操作するとき、一回の操作で終了するか、又は複数回繰り返して操作するように設定することができる。
【００３４】
受信ユニット４０は、受信手段４１を備えている。当該受信手段４１は、リモコン信号入力端子４２と操作信号出力端子４３を有している。
受信手段４１は、リモコン信号を受信したとき、操作信号を出力するように形成されている。当該操作信号は、予め設定された所定の周波数帯域で所定の通信規格に準拠するように形成されている。
なお、本実施例においては、リモコン信号を受信したとき、当該リモコン信号の入力に応じて操作信号を出力するように形成したが、たとえば、受信したリモコン信号を増幅してそのまま操作信号として出力しても良い。
また、受信手段４１は、操作信号を操作対象となる各電子機器５０に最適な周波数に調整するため、操作信号に係る周波数をチューニング可能なチューニング手段を有している。
リモコン信号入力端子４２は、受信アンテナ４４を介して、送信手段２１から無線通信回線３０を伝送したリモコン信号が入力可能に形成されている。
操作信号出力端子４３は、操作信号を電子機器５０に対して出力可能に形成されている。当該操作信号が電子機器５０に入力されたとき、当該電子機器５０は所定の動作を行うように形成されている。
これにより、受信ユニット４０は、リモコン信号を受信したとき、操作信号によって電子機器５０を操作することができる。すなわち、ドア枠１１に対して片開きドア１０を開閉したとき、当該開閉動作にともなってリモコン信号が出力され、当該リモコン信号を受信した受信ユニット４０は操作信号で電子機器５０を操作するので、片開きドア１０の開閉動作によって、電子機器５０を遠隔操作することができる。
【００３５】
上記の受信ユニット４０は、操作信号に基づいて電子機器５０を操作するものである。ここで、当該受信ユニット４０の他の実施例である受信ユニット４０Ａを、図４に示す。
受信ユニット４０と受信ユニット４０Ａとの相違点は、受信ユニット４０は操作信号出力端子４３を有し、受信ユニットＡはリレースイッチ４５を有している点である。当該リレースイッチ４５は、スイッチ回路４６を駆動するように形成され、スイッチ出力端子４７を有している。また、受信ユニット４０Ａは、リレースイッチ４５駆動用の電源入力端子４８を有し、家庭用１００Ｖ電源に接続される電源アダプタ４９を有している。
受信手段４１がリモコン信号を受信したとき、図５に示すリレースイッチ４５がオンとなってスイッチ回路４６を駆動し、当該スイッチ回路４６は接続する。そして所定の時間が経過した後、リレースイッチ４５はオン状態からオフ状態へ自動的にリターンして、スイッチ回路４６が遮断されるように形成されている。
これによって、片開きドア１０の開閉動作にともなって、リレースイッチ４５のオン・オフを切り替えて電子機器５０を遠隔操作することができる。
【００３６】
電子機器５０は、家庭用１００Ｖ電源、または乾電池等のバッテリー又はこれらに類する外部電源によって動作するように形成されている。
受信ユニット４０が操作信号を出力したとき又は受信ユニット４０Ａがリレースイッチ４５のオン・オフを切り替えたとき、遠隔操作される電子機器５０は、たとえば次に挙げるものである。
また、下記に示すように、片開きドア１０の開閉動作にともなって、受信ユニット４０，４０Ａが外部電源によって動作する電子機器５０を遠隔操作するようにした。これにより、片開きドア１０の近傍であって外部電源を容易に確保可能な任意の場所に、電子機器５０を設置することができる。
【００３７】
図６に示す電子機器５０は、デジタルカメラ５１である。
デジタルカメラ５１は、図６に示すように、片開きドア１０近傍に存在する被写体を撮影可能に片開きドア１０の上方に配されている。デジタルカメラ５１は、被写体を撮像可能な撮像手段（図示略）と、撮像した画像を順次記録可能な記録手段（図示略）を有している。
撮像手段は、被写体に指向されるレンズ５２を有し、当該レンズ５２を介して撮影した画像を電子的な画像データに変換する撮像素子と、当該撮像素子の露光時間を調整可能なシャッターを有している。
【００３８】
シャッターは、露光時間に係るシャッタースピード調整手段と、予め設定した所定のシャッターパターンで当該シャッターをきるシャッター駆動手段を有している。
シャッターパターンは、たとえば、受信した１回のリモコン信号に対して１回シャッターを切ったり、また１回のリモコン信号に応じて所定時間内に複数回シャッターを切ったりするように設定されている。なお、複数のシャッターパターンのうち、一のシャッターパターンを選択可能にしても良い。
１回のリモコン信号に対して１回シャッターを切る場合には、片開きドア１０の開閉動作にともなって、片開きドア１０近傍の静止画を撮影することができ、複数回シャッターが切られる場合には、時系列にしたがって複数枚の静止画を撮影し、又は所定時間の動画を撮影することができる。
【００３９】
記録手段は、撮像素子で電気的に変換された画像データを所定のフォーマットにしたがってエンコードして圧縮画像データを形成するエンコーダと、当該圧縮画像データを時系列にしたがって順次記録可能な記録媒体を有している。
これによって、デジタルカメラ５１は、撮像した画像を電子的に画像データに変換し、当該画像データを記録媒体に記録することができる。
【００４０】
受信ユニット４０の操作信号出力端子４３、又は受信ユニット４０Ａのスイッチ出力端子４７は、シャッターに接続されている。シャッターは、操作信号の入力に応じて、又はリレースイッチ４５がオンとなったとき、予め設定された所定のシャッターパターンにしたがって、シャッター駆動手段で切られるように形成されている。
このように、片開きドア１０とドア枠１１は、片開きドア１０の開閉動作にともなって、リモコン信号を送信し、受信ユニット４０，４０Ａがデジタルカメラに対して操作信号を入力し、又はリレースイッチをオンにすることによって、当該デジタルカメラのシャッターを遠隔操作し、所定のシャッターパターンにしたがって少なくとも１回シャッターをきって撮影することができる。
【００４１】
図６では、片開きドア１０の上方にデジタルカメラ５１を配して、片開きドア１０近傍の被写体を撮影可能に設定したものを例示した。しかし、たとえば、上記のような片開きドア１０上方に配したデジタルカメラ５１に加えて、片開きドア１０から離間した位置でデジタルカメラ５１のレンズ５２が片開きドア１０を指向するようにデジタルカメラ５１を複数配置し、一のリモコン信号で複数台のデジタルカメラ５１を遠隔操作するようにしても良い。
これによって、片開きドア１０が開閉される度に被写体を複数台のデジタルカメラ５１によって多方向からマルチアングルで撮影することができる。そのため、片開きドア１０周辺の死角を無くして撮影することができ、セキュリティ性能を高めることができる。
【００４２】
図７に示す電子機器５０は、電子チャイム装置５３である。
電子チャイム装置５３は、たとえば、図７に示すように、片開きドア１０の開閉動作を報知可能に片開きドア１０の上方に配されている。また、リモコン信号の受信可能範囲内であれば、片開きドア１０の近傍でなくとも、たとえば、片開きドア１０が玄関の扉であれば、リビングに配置するようにしても良い。
電子チャイム装置５３は、受信ユニット４０又は受信ユニット４０Ａと、リモコン信号を受信したとき、光で応答する光応答部と、音で応答する音応答部を有している。
【００４３】
電子チャイム装置５３の光応答部は、回転灯、フラッシュ・ストロボ、或いはルームランプ又はこれらに類する灯火類５４からなる発光手段と、当該灯火類の点滅を制御する発光制御手段を有している。
発光制御手段は、灯火類がどのように点滅するか予め設定した所定の点滅パターンにしたがって、発光手段の灯火類の点滅を制御するように形成されている。なお、複数の点滅パターンを電子チャイム装置５３の記録媒体に記録し、当該複数の点滅パターンを使用状況に合わせてユーザが選択できるようにしても良い。
【００４４】
電子チャイム装置５３の音応答部は、スピーカ５５を有し、メロディ、メッセージ或いは警報音又はこれらに類する音声類を出力する音声出力手段と、当該音声類の出力を制御する音声制御手段を有している。
音声制御手段は、音声類がどのように出力されるか予め設定した音声出力パターンにしたがって、音声出力手段に係る音声類の出力を制御するように形成されている。なお、電子チャイム装置５３の記録媒体に、様々なシチュエーションに合わせて録音した音声類を記録し、当該音声類のうち、使用状況に合わせてユーザが適宜選択できるようにしても良い。
【００４５】
受信ユニット４０の操作信号出力端子４３又は受信ユニット４０Ａのリレースイッチ４５のスイッチ端子４７は、電子チャイム装置５３の発光制御手段及び音声制御手段を動作させる電子チャイム装置の入力端子に接続されている。
これにより、操作信号の入力又はリレースイッチ４５のオンにともなって、発光制御手段は所定の点滅パターンで灯火類５４を点滅させることができ、音声制御手段は所定の音声類をスピーカ５５から出力させることができる。すなわち、リモコン信号によって電子チャイム装置５３を遠隔操作することができる。
これによって、片開きドア１０が開閉したとき、発光又は音声出力によって当該開閉動作を報知することができる。すなわち、たとえば、人体を検知するセンサを片開きドア１０に設けて、当該センサから出力された検知信号によって電子チャイム装置５３を光らせたり鳴らしたりしなくとも、片開きドア１０の開閉動作そのもので電子チャイム装置５３を起動することができる。
【００４６】
ここで、受信ユニット４０，４０Ａに替えて、図８に示す受信ユニット４０Ｂを電子チャイム装置５３に接続させても良い。
受信ユニット４０又は受信ユニット４０Ａと異なり、受信ユニット４０Ｂは、二つのリレースイッチ４５ａ，４５ｂと、当該リレースイッチ４５ａ，４５ｂによって駆動されるスイッチ回路４６ａ，４６ｂ、及びスイッチ出力端子４７ａ，４７ｂを有している。
リモコン信号を受信したとき、リレースイッチ４５ａ，４５ｂは同時にオンとなって、スイッチ回路４６ａ、４６ｂは共に接続される。そして所定時間経過したとき、リレースイッチ４５ａ，４５ｂはオン状態からオフ状態へ自動的にリターンし、スイッチ回路４６ａ，４６ｂは遮断される。これによって、一のリモコン信号で二つのリレースイッチを駆動し、スイッチ出力端子４７ａ，４７ｂに接続した電子機器５０を二つの入力で遠隔操作することができる。
【００４７】
スイッチ出力端子４７ａ，４７ｂは、電子チャイム装置５３のセレクタ５６に接続されている。
セレクタ５６は、電子チャイム装置５３の発光制御手段と音声制御手段のいずれか一方又は双方を切替可能に接続されている。また、セレクタ５６は、手動或いは時間帯によって自動で発光制御手段又は音声制御手段のいずれか一方、又は双方を接続するように切替可能に形成されている。
これによって、電子チャイム装置５３は、発光制御手段と音声制御手段を同時に作動させ、また発光制御手段或いは音声制御手段のいずれか一方を作動させるように切り替えることができる。そのため、たとえば、早朝や深夜といった静かな環境下でメロディが鳴ることが騒音となって迷惑になるような場合では、灯火類５４のみを点滅させるようにしたり、灯火類５４を発光させたくない場合には音声のみがスピーカ５５から出力されるようにしたりと、使用状況に合わせてユーザが選択することができる。
【００４８】
また、図６に示したデジタルカメラ５１と、図７に示した電子チャイム装置５３を組み合わせることによって、片開きドア１０の開閉を報知すると共に当該片開きドア１０近傍を撮影可能な監視システムを構成しても良い。これにより、たとえば、入退室管理を容易に行うことができる。
また、デジタルカメラ５１のシャッターと、電子チャイム装置５３の入力端子へ接続されるそれぞれの受信ユニット４０に係るリモコン信号の受信チャンネルと、一のリモコン信号に係る送信チャンネルを揃えることによって、複数台の受信ユニット４０を一のリモコン信号で動作させるようにしても良い。これによって、監視システムを容易に拡張することができる。
【００４９】
図１０に示す電子機器５０は、信号中継器５７である。
信号中継器５７は、片開きドア１０近傍に配された送信手段２１から送信されたリモコン信号を受信するリモコン信号受信手段と、受信したリモコン信号を所定の増幅率で増幅する増幅手段と、増幅したリモコン信号を送信するリモコン信号送信手段を有し、リモコン信号を中継するように形成されている。また、増幅手段は、増幅率を増減して調整可能な増幅率調整手段を有している。
これによって、片開きドア１０近傍に設けた送信手段２１から送信されるリモコン信号について、信号中継器５７を介してリモコン信号を中継することで、当初の出力では到達できない通信可能範囲外のエリアまで、リモコン信号を送信することができる。
【００５０】
また、信号中継器５７は、ＬＥＤ５８を備えた発光手段と内蔵されたスピーカ（図示略）から音声を出力する音声出力手段と、発光手段と音声出力手段のいずれか一方又は双方を切替可能な切替手段を有している。発光手段と音声出力手段は、リモコン信号受信手段がリモコン信号を受信したとき、発光し又は音声を出力するように形成されている。
発光手段は、リモコン信号の受信と同時に、予め記録した所定の発光パターンにしたがってＬＥＤ５８を点滅させるように形成されている。音声出力手段は、リモコン信号の受信と同時に、予め記録した所定のメロディをスピーカから流すように形成されている。
発光手段と音声出力手段を設けたことによって、信号中継器５７の動作を容易に確認することができる。
また、図１０に示すように、複数個の信号中継器５７を所定の間隔で配することによって、当該信号中継器５７でリモコン信号を次々に中継して、任意の距離までリモコン信号を到達させることができる。
これにより、たとえば、上記のデジタルカメラ５１と電子チャイム装置５３からなる監視システムと組み合わせて、片開きドア１０の開閉動作を複数のデジタルカメラ５１で多方向からマルチアングルで撮影したり、監視対象の片開きドア１０を備えた部屋とは別の部屋で、電子チャイム装置５３の灯火類５４やスピーカ５５によって片開きドア１０の開閉動作を報知させたりといったように、監視システムを容易に拡張することができる。
【００５１】
図１１に示す電子機器５０は、電気錠５９である。
電気錠５９は、片開きドア１０に設けた施錠手段を電気的に操作するように形成されている。電気錠５９は、シリンダー錠の内筒と外筒の境目に配された複数本のピンタンブラーを電動で操作して外筒に対して内筒を電動で回動することで、デッドボルト１６をデッドストライクへ嵌合し、片開きドア１０を本締めするように形成されている。
また、電気錠５９の錠前は、電気的に施解錠されるように形成されている。当該錠前を施解錠するキーは、図１１に示すように、非接触型ＩＣカードをカードリーダにかざして施解錠するもの、またたとえば、暗証番号をテンキーで入力するもの、カードキー又はリモコンキーを所持しているものが錠前に設けたリーダに触れると施解錠するもの、スマートフォンをリーダにかざして施解錠するもの等が知られている。物理的なキーを鍵穴に挿入して施解錠する従来の方法と比べて、鍵穴が無いのでピッキング被害を防止することができる。また、複雑な暗号によって施解錠するようにしていることから、防犯性を高めセキュリティ性能を高めることができる。
【００５２】
電気錠５９は、片開きドア１０が閉じているとき、自動的に当該片開きドア１０を施錠するオートロック手段を有している。
オートロック手段は、片開きドア１０の表面側からは必ずキーを使用しないと解除できないように形成されている一方で、サムターン１５を備えた片開きドア１０の裏面側からは、容易に解除されるように形成されている。
電気錠５９の入力端子は、受信ユニット４０の操作信号出力端子４３又は受信ユニット４０Ａのリレースイッチ４５のスイッチ出力端子４７と接続されている。これにより、オートロック手段は、操作信号が入力されたとき、又はリレースイッチ４５がオンになったとき、起動することができる。すなわち、片開きドア１０の開閉動作にともなって、オートロック手段が動作し、片開きドア１０は施錠される。
これによって、片開きドア１０を自動的に施錠することができるので、防犯性を高めてセキュリティ機能を強化することができる。
また、従来のオートロック付電気錠と異なり、片開きドア１０に配した電気錠５９へ電力を供給するための配線を省き、オートロック手段を動作させるためのセンサ回路を省くことができる。これにより、オートロック付電気錠を容易に取り付けることができる。
【００５３】
上記の構成を有する片開きドア１０は、次に説明するように使用される。
片開きドア１０は、当該片開きドア１０の一側縁１０ａをドア枠１１の一縦枠１１ａへ組み付けてなり、ドア枠１１に対して蝶番１２を軸に回動可能に形成されている。片開きドア１０の一側縁１０ａ側の上端角隅部近傍にはブラケット２５を介して磁石２２が取り付けられ、当該磁石２２に対向してドア枠１１側にはコイル２３が取り付けられている。
片開きドア１０を開いたとき、磁石２２はコイル２３から離反し、片開きドア１０を閉じたとき、当該磁石２２はコイル２３に接近する。このコイル２３と磁石２２が接近離反を繰り返すことによって、起電手段２０は起電力を発生させる。発生した電力はコイル出力端子２４から出力される。これにより、片開きドア１０は、家庭用１００Ｖ交流電源又は電池といった電源を用意しなくとも、電源を確保することができ、確保した電源は、片開きドア１０が開閉可能である限り半永久的に利用することができる。そのため、電池交換といった手間を省くことができる。
コイル出力端子２４から出力された電力は、送信手段２１の電源入力端子２６へ入力される。電源入力端子２６に電力が入力されたとき、これに応じて送信手段２１はリモコン信号を送信する。当該リモコン信号は、リモコン信号出力端子２７から送信アンテナ２８、無線通信回線３０を通じて、受信ユニット４０へ送信される。
【００５４】
リモコン信号を受信した受信ユニット４０は、受信手段４１がリモコン信号の入力に応じて、操作信号を出力する。また受信ユニット４０Ａ，４０Ｂは、リレースイッチ４５，４５ａ，４５ｂをオンにする。受信ユニット４０から出力された操作信号又は、受信ユニット４０Ａ，４０Ｂによって接続されたリレースイッチ４５，４５ａ，４５ｂによって、当該受信ユニット４０，４０Ａ，４０Ｂを接続した電子機器５０は所定の動作をする。
したがって、片開きドア１０の開閉にともなって、受信ユニット４０，４０Ａ，４０Ｂを接続した電子機器５０をリモコン信号で遠隔操作することができる。
【００５５】
本実施例に係る建具である片開きドア１０によれば、磁石２２とコイル２３によって片開きドア１０の開閉を検知するようにした。これにより、家庭用１００Ｖ電源又は電池のような外部から電力を供給する外部電源がいらないことから、消耗した電池を交換する手間を省くことができる。また、外部電源がいらないので、磁石２２、並びにコイル２３及び送信手段２１を取り付けるとき、配線を省略することができることから、容易に取り付けることができる。
そして、片開きドア１０を開閉する度にリモコン信号を送信し、ひいては電子機器５０を遠隔操作することができるので、デジタルカメラ５１や電子チャイム装置５３のように少なくとも片開きドア１０の開閉時には動作させる必要がある電子機器５０を非常に便利に使うことができる。
さらに、磁石２２、並びにコイル２３及び送信手段２１と簡易な構造であるから、容易に防水することができ、屋外に配置した片開きドア１０にも取り付けることができる。
【実施例２】
【００５６】
続いて、本願発明に係る建具の第２実施例を添付した図面にしたがって説明する。
本実施例に係る建具は、引き戸である。当該引き戸は、開口部を有する引き戸枠に組み付けられている。引き戸は、開口部から壁面に沿って桟枠を延伸して一枚の引き戸で開口部を閉鎖するようにした片引き戸、開口部に一対の引き戸を組み付けて、互いに引違可能に形成した両引き戸、３枚以上の引き戸を開口部に組み付けた多重引き戸が知られている。
本実施例では、両引き戸１０Ａを例に挙げて説明する。図１２は、本実施例に係る両引き戸の構成の概略を示す正面図であり、図１３は、本実施例に係る両引き戸の構成の概略を示す上部端面図である。
【００５７】
両引き戸１０Ａは、図１２に示すように、一対の平板状の引き戸６０ａと他の引き戸６０ｂからなる。引き戸６０ａ，６０ｂは、枠体にガラスを嵌合して形成されている。当該両引き戸６０ａ，６０ｂの下端部には、戸車（図示略）が配されている。なお、戸車に替えて凸条を形成しても良い。
両引き戸６０ａ，６０ｂは、引違可能に引き戸枠１１Ａに組み付けられている。当該引き戸枠１１Ａは、縦方向の戸当たり枠６１ａと横方向の桟枠６１ｂからなる。当該桟枠６１ｂのうち、下側の桟枠６１ｂの上面にはレール（図示略）が配されている。なお、レールに替えて凹溝を形成しても良い。
両引き戸６０ａ，６０ｂの下端に配した戸車と下側桟枠６１ｂのレール、又は両引き戸６０ａ，６０ｂの下端に配した凸条と下側桟枠６１ｂの凹溝を係合することによって、両引き戸６０ａ，６０ｂは下側桟枠６１ｂ上を摺動することができる。
引き戸６０ａと引き戸６０ｂが所定の幅で重なり合う合わせ部６２には、腰高の位置に施錠手段６３が形成されている。また、反合わせ部側の側縁６４には、それぞれ腰高の位置に指が掛かるように凹溝状に形成された把手６５，６５が配されている。
【００５８】
施錠手段６３は、デッドストライクにデッドボルトを嵌合して両引き戸６０ａ，６０ｂを本締まりするように形成されている。
デッドボルトは、引き戸６０ａ側の合わせ部６２に配され、当該引き戸６０ａの表面側から突出するように形成されている。デッドストライクは、デッドボルトと対向するように引き戸６０ｂ側の合わせ部６２裏面に形成されている。これにより、デッドストライクにデッドボルトは挿嵌される。
また、デッドボルトは、引き戸６０ａの合わせ部６２裏面側からはサムターンの回動によって出し入れ可能に、引き戸６０ｂの合わせ部６２表面側からはシリンダー錠にキーを差し込んで解錠してからシリンダーを回動させることによって出し入れ可能に形成されている。これにより、両引き戸６０ａ，６０ｂは合わせ部６２に形成した施錠手段６３で施解錠することができる。
【００５９】
引き戸６０ａと当該引き戸６０ａの側縁６４と対向する戸当たり枠６１ａは、起電力を生じさせて発電する起電手段２０と、当該起電手段から給電されたとき、リモコン信号を送信する送信手段２１を有している。
【００６０】
起電手段２０は、磁石２２とコイル２３からなり、コイル２３は、鉄芯からなるコアに電線を複数回巻回して形成されている。当該コイル２３は、電力を出力するコイル出力端子２４を有している。
磁石２２は、引き戸６０ａの上端角隅部近傍にＬ字状のブラケット２５によって固定されている。コイル２３は、磁石２２と互いに対向するように、引き戸枠１１Ａの桟枠６１ｂと戸当たり枠６１ａが交差する上端角隅部に固定されている。そして、引き戸６０ａが桟枠６１ｂ上を摺動して閉鎖されたとき、戸当たり枠６１ａ上端近傍で磁石２２とコイル２３は接近し、引き戸６０ａが開放されたとき、磁石２２とコイル２３は離反するように形成されている。
これにより、引き戸６０ａの開閉動作にともなって、磁石２２とコイル２３は互いに接近離反することができる。そして、磁石２２とコイル２３が接近離反を繰り返すことによってコイル２３には起電力が生じる。当該起電力に係る電力は、コイル２３に設けたコイル出力端子２４から送信手段２１へ供給可能に形成されている。
【００６１】
送信手段２１は、第１実施例と同様であるから説明を省略する。
また、無線通信回線３０を通じてリモコン信号を受信する受信ユニット４０，４０Ａ，４０Ｂも第１実施例と同様であるから説明を省略する。受信ユニット４０，４０Ａ，４０Ｂが接続される各電子機器５０についても第１実施例と同様であるから説明を省略する。
【００６２】
本実施例に係る建具である両引き戸６０ａ，６０ｂによれば、磁石２２とコイル２３によって引き戸６０ａの開閉を検知するようにした。これにより、家庭用１００Ｖ電源又は電池のような外部から電力を供給する外部電源がいらないことから、消耗した電池を交換する手間を省くことができる。また、外部電源がいらないので、磁石２２、並びにコイル２３及び送信手段２１を取り付けるとき、配線を省略することができることから、容易に取り付けることができる。
そして、引き戸６０ａを開閉する度にリモコン信号を送信し、ひいては各種電子機器５０を遠隔操作することができるので、デジタルカメラ５１や電子チャイム装置５３のように少なくとも引き戸６０ａの開閉時には動作させる必要がある各種電子機器５０を非常に便利に使うことができる。
さらに、磁石２２、並びにコイル２３及び送信手段２１からなる簡易な構造であるから、容易に防水することができ、屋外に配置した引き戸にも取り付けることができる。
【実施例３】
【００６３】
続いて、本願発明に係る建具の第３実施例を添付した図面にしたがって説明する。
本実施例に係る建具は、スイング窓１０Ｂである。当該スイング窓１０Ｂは、窓枠１１Ｂに組み付けられている。
スイング窓１０Ｂは、図１４に示すように、当該スイング窓１０Ｂの上側側縁７０ａが窓枠１１Ｂの上側横枠７１ａに蝶番１２を介して組み付けられ、当該蝶番１２を軸に内外方向に揺動して開閉可能に形成されている。窓枠の下側横枠７１ｂは、外側に向って低くなるように階段状に形成された戸当たり部（図示略）が設けられている。これにより、スイング窓１０Ｂを開閉したとき、当該スイング窓１０Ｂの下端側縁７０ｂは戸当たり部に係止し、スイング窓１０Ｂが内側方向へ大きくあおられないようにすることができる。
なお、図１４では省略したが、窓枠１１Ｂの左右縦枠７１ｃ，７１ｄとスイング窓１０Ｂの左右側縁７０ｃ，７０ｄの対向するいずれか一方又は双方を、ダンパー又は所定の位置で停止可能なスライドシャフトで連結して、スイング窓１０Ｂを開いたときに所定の角度で当該スイング窓１０Ｂを固定可能にしても良い。また、スイング窓１０Ｂを開放したとき、スイング窓１０Ｂと窓枠１１Ｂの間に支柱を挟んで開放状態で保持するようにしても良い。これにより、スイング窓１０Ｂが風にあおられて急に閉じることを防止することができる。
さらに、スイング窓１０Ｂは、上記のスイング窓１０Ｂと蝶番１２で固定する場所の上下を逆にして、上側側縁７０ａ側が開くようにしても良い。
【００６４】
図１４に示すスイング窓１０Ｂは、矩形状の枠体にガラス板を嵌合して形成されている。下側側縁７０ｂ中央部近傍にはロック機構７５が設けられている。
スイング窓１０Ｂの上側側縁７０ｂと、当該上側側縁７０ｂと対向する窓枠１１Ｂの上側横枠７１ａには、それぞれ蝶番１２を取り付け可能な取付部が複数個形成されている。これにより、スイング窓１０Ｂは、図１５に示すように、窓枠１１Ｂに蝶番１２を介して組み付けられている。
【００６５】
ロック機構７５は、ロックレバー７６と当該ロックレバー７６が係合するストッパ７７からなる。
ロックレバー７６は、短辺７６ａと長辺７６ｂを備えた略Ｌ字状に形成され、スイング窓１０Ｂの下側側縁７０ｂ中央部に設けたベース７８に軸支されている。ストッパ７７は、ロックレバー７６の短辺７６ａの先端部と係合可能に窓枠１１Ｂの下側横枠７１ｂ中央部近傍に形成されている。
ベース７８に軸支され、軸を中心に所定の角度で回動自在に形成されているロックレバー７６が正方向へ回動されたとき、ロックレバー短辺７６ａの先端部は、窓枠１１Ｂの下側横枠７１ｂに形成したストッパ７７に係合してスイング窓１０Ｂを閉鎖する。
一方、ロックレバー７６を逆方向へ回動すると、ロックレバー短辺７６ａの先端部は、ストッパ７７から外れて、窓枠１１Ｂの下側横枠７１ｂと略平行となる位置に配される。これによりスイング窓１０Ｂを開放可能とすることができる。
なお、ロックレバー７６がストッパ７７と係合したとき、ロックレバー７６の回動を禁止する施錠手段をベース７８に設けても良い。
【００６６】
スイング窓１０Ｂ及び窓枠１１Ｂは、起電力を生じさせて発電する起電手段２０と、当該起電手段から給電されたとき、リモコン信号を送信する送信手段２１を有している。
【００６７】
起電手段２０は、磁石２２と、コイル２３からなり、当該コイル２３は鉄芯からなるコアに電線を複数回巻回して形成されている。当該コイル２３は、電力を出力するコイル出力端子２４を有している。
磁石２２は、スイング窓１０Ｂの上側縁側７０ａの上端角隅部近傍にＬ字状のブラケット２５を介して固定されている。コイル２３は、磁石２２と互いに対向するように、窓枠１１Ｂの上側横枠７１ａ側、上端角隅部に固定されている。そして、スイング窓１０Ｂが閉鎖されたとき、磁石２２とコイル２３は接近し、スイング窓１０Ｂが解放されたとき、磁石２２とコイル２３は離反するように形成されている。
これにより、スイング窓１０Ｂの開閉動作にともなって、磁石２２とコイル２３は互いに接近離反することができる。そして、磁石２２とコイル２３が接近離反することによってコイル２３には起電力が生じる。当該起電力に係る電力は、コイル２３に設けたコイル出力端子２４から送信手段２１へ供給可能に形成されている。
【００６８】
送信手段２１は、第１実施例と同様であるから説明を省略する。
また、無線通信回線３０を通じてリモコン信号を受信する受信ユニット４０，４０Ａ，４０Ｂも第１実施例と同様であるから説明を省略する。受信ユニット４０，４０Ａ，４０Ｂが接続される各電子機器５０についても第１実施例と同様であるから説明を省略する。
【００６９】
本実施例に係る建具であるスイング窓１０Ｂによれば、磁石２２とコイル２３によってスイング窓１０Ｂの開閉を検知するようにした。これにより、家庭用１００Ｖ電源又は電池のような外部から電力を供給する外部電源がいらないことから、消耗した電池を交換する手間を省くことができる。また、外部電源がいらないので、磁石２２、並びにコイル２３及び送信手段２１を取り付けるとき、配線を省略することができることから、容易に取り付けることができる。
そして、スイング窓１０Ｂを開閉する度にリモコン信号を送信し、ひいては電子機器５０を遠隔操作することができるので、デジタルカメラ５１や電子チャイム装置５３のように少なくともスイング窓１０Ｂの開閉時には動作させる必要がある電子機器５０を非常に便利に使うことができる。
さらに、磁石２２、並びにコイル２３及び送信手段２１と簡易な構造であるから、容易に防水加工を施すことができ、屋外に配置したスイング窓１０Ｂにも取り付けることができる。
【実施例４】
【００７０】
続いて、本願発明に係る建具の第４実施例を添付した図面にしたがって説明する。
第４実施例に係る建具は片開きドア１０である。当該片開きドア１０とドア枠１１の構成は、第１実施例と同様であるから説明を省略する。図１６は本実施例に係る建具の構成の概略を示す斜視図であり、図１７は本実施例に係る建具の構成の概略を示す上部端面図である。さらに、図１８は、本実施例に係る建具に取り付けた押しボタンスイッチの構成の概略を示すブロック図である。
【００７１】
図１６及び図１７に示すように、ドア枠１１の一縦枠１１ａ側の上端角隅部には、リモコン信号を発信するプッシュリモコン８０がブラケット８１を介して固定されている。
また、本実施例で示した片開きドア１０の他にも、図１４に示したスイング窓１０Ｂの窓枠１１Ｂへ同様にブラケット８１を取り付けてプッシュリモコン８０を固定するようにしても良い。
【００７２】
プッシュリモコン８０は、図１８に示すように、押しボタンスイッチ８２と、送信手段８３を有している。
押しボタンスイッチ８２は、押しボタン８４と、スイッチ回路８５、起電手段８６を有している。
押しボタン８４は、ボタン頭部８４ａと、当該ボタン頭部８４ａ下部に設けられたボタン杵８４ｂからなる。ボタン頭部８４ａは、プッシュリモコン８０の筐体８０ａから突出している。ボタン頭部８４ａ下面とプッシュリモコン８０の筐体８０ａの上面の間に挟まれたボタン杵８４ｂの上半分は、押しボタンバネ８４ｃが遊嵌されている。これによって押しボタン８４は、押下した後に放すと元の位置まで戻るように形成されている。
【００７３】
スイッチ回路８５は、天板８７とスイッチ杵８８を有している。天板８７は、ボタン杵８４ｂの先端と対向するように配されている。天板８７の下面とスイッチ回路８５を収納しているスイッチケース８５ａの上面の間には、スイッチバネ８９が配されている。スイッチバネ８９には、スイッチ杵８８が遊嵌されている。これによって、ボタン杵８４ｂの上下動に追従して天板８７は上下動することができる。そして、天板８７がボタン杵８４ｂに押し下げられたとき、スイッチ杵８８が押し下げられ、スイッチ回路８５が接続して送信手段８３はオン状態になる。
一方、ボタン杵８４ｂが押しボタンバネ８４ｃによって元の位置へ戻ると、天板８７もまたスイッチバネ８９で押し上げられて元の位置に戻る。これによりスイッチ回路８５が遮断されて送信手段８３はオフ状態になる。
【００７４】
起電手段８６は、コイル９０と、磁石９１、コイル出力端子９２とからなる。
コイル９０は円筒状の鉄芯に電線を巻回して形成されている。コイル９０にはボタン杵８４ｂが遊嵌されている。ボタン杵８４ｂのコイル９０上端近傍と対向する位置には、磁石９１が固定されている。
磁石９１は、押しボタン８４の上下動に合わせて、コイル９０内を上下動する。これによって、コイル９０に起電力が生じ、当該起電力に基づく電力がコイル出力端子９２から出力される。コイル出力端子９２から出力された電力は、送信手段８３の電源入力端子９３を介して、送信手段８３に供給される。
これによって、送信手段８３は、商用ＡＣ１００Ｖ電源又は太陽電池といった電源が無くとも動作することができる。そのため、片開きドア１０又はドア枠１１に沿って電線を這わせる配線作業を省くことができるので容易に取り付けることができ、また、ワイヤレスで取り付けることができるので、片開きドア１０の開閉にともなって、片開きドア１０とドア枠１１との間に電線を挟み込む断線事故を防止することができる。
さらに、乾電池或いはボタン電池又はこれらに類する電池類が無くとも、送信手段８３は動作することができるので、消耗した電池類を廃棄することによる環境への負担も軽減することができる。
【００７５】
送信手段８３は、コイル出力端子９２から出力された電源が入力される電源入力端子９３と、リモコン信号を出力するリモコン信号出力端子９４及び送信アンテナ９５を有している。
送信手段８３は、スイッチ回路８５が接続されたときオン状態になるように形成されている。このとき送信手段８３はリモコン信号を送信するように形成されている。一方、スイッチ回路８５が遮断されたときオフ状態になるように形成されている。このとき送信手段８３はリモコン信号の送信を停止するように形成されている。
スイッチ回路８５は常態が遮断されていて、押しボタン８４に天板８７が押された場合に一時的に接続するので、送信手段８３は、パルス状に形成されたリモコン信号を送信することができる。
送信手段８３は、リモコン信号の周波数帯域、及び出力を任意に設定可能に形成されている。これによって、送信手段８３は、所定の通信規格に準拠したリモコン信号を所定の通信可能範囲内へ出力することができる。そして、リモコン信号は、リモコン信号出力端子９４を介して送信アンテナ９５から無線通信回線３０へ出力される。
【００７６】
送信アンテナ９５から無線通信回線３０を介して出力されたリモコン信号は、受信ユニット４０，４０Ａ，４０Ｂに入力される。
受信ユニット４０，４０Ａ，４０Ｂ、及び当該受信ユニット４０，４０Ａ，４０Ｂが接続される電子機器５０は、第１実施例と同様であるから説明を省略する。
【００７７】
上記の構成を有するプッシュリモコン８０の動作について、添付した図面にしたがって説明する。
開放していた片開きドア１０を閉じたとき、片開きドア１０の側面は、押しボタン８４を押下する。押しボタン８４は、ボタン杵８４ｂを押し下げる。このとき、ボタン杵８４ｂに取り付けた磁石９１がコイル９０に対して移動し、起電力が生じる。コイル９０に発生した電力は、コイル出力端子９２から出力される。出力された電力は、電源入力端子９３を介して送信手段８３に送られる。
電源の供給を受けた送信手段８３は、リモコン信号を生成してリモコン信号出力端子９４から当該リモコン信号を出力する。当該リモコン信号は、送信手段８３と無線通信回線３０で接続された受信ユニット４０，４０Ａ，４０Ｂへ出力される。リモコン信号を受信した受信ユニット４０は、各電子機器５０に対して操作信号を出力する。又は受信ユニット４０Ａ，４０Ｂは、リレースイッチ４５，４５ａ，４５ｂをオンにする。
これによって、片開きドア１０の開閉動作にともないプッシュリモコン８０を動作させて、リモコン信号を生成し、電子機器５０を遠隔操作することができる。
【００７８】
ここで、プッシュリモコン８０を取り付けたブラケット８１を振動可能な所定の長さまで延伸しても良い。これにより、片開きドア１０又はスイング窓１０Ｂを閉じたとき、ブラケット８１は、あたかも板バネのような挙動を示し、所定時間振動することができる。当該振動は、所定時間に亘って押しボタンスイッチ８２へ伝えられる。これによって、押しボタン８４で押下されるボタン杵８４ｂに取り付けた磁石９１は、所定時間振動するので、磁石９１とコイル９０は接近離反を繰り返して起電力を生じ続けることができる。そして、起電力が生じ続けることによって、発電時間を延ばすことができ、ひいてはリモコン信号の出力を上げたり、またリモコン信号の強度を高めて信号到達範囲を広げることができる。
【００７９】
プッシュリモコン８０が有する送信手段８３は、第１実施例で示した送信手段２１と同様に動作するものであるから説明を省略する。
また、無線通信回線３０を通じてリモコン信号を受信する受信ユニット４０，４０Ａ，４０Ｂも第１実施例と同様であるから説明を省略する。受信ユニット４０，４０Ａ，４０Ｂが接続される各電子機器５０についても第１実施例と同様であるから説明を省略する。
【００８０】
本実施例に係る建具に設けたプッシュリモコン８０によれば、片開きドア１０の開閉動作に連動してプッシュリモコン８０の押しボタンスイッチ８２を押下し、起電力を生じさせて、リモコン信号を受信ユニット４０，４０Ａ，４０Ｂへ送信するようにした。これによって、家庭用１００Ｖ交流電源や乾電池といった別の電源を確保することなく、自前の電源を確保することができるので、たとえば電池を交換することなく半永久的にプッシュリモコン８０を使用することができる。
また、本実施例に係るプッシュリモコン８０によれば、蝶番１２を取り付けた片開きドア１０の一側縁１０ａと、ドア枠１１の一縦枠１１ａとの境目にケーブルを配線しなくても良い。これによって、当該境目にケーブルが挟まる断線事故を防止することができる。
【実施例５】
【００８１】
続いて、本願発明に係る建具の第５実施例を添付した図面にしたがって説明する。
第５実施例に係る建具は、両引き戸１０Ａと引き戸枠１１Ａであって、当該構成は、第２実施例と同様であるから説明を省略する。図１９は本実施例に係る両引き戸の構成の概略を示す上部端面図である。
【００８２】
引き戸６０ａ側にある引き戸枠１１Ａの戸当たり枠６１ａには、第４実施例に記載したものと同様に構成されたプッシュリモコン８０が配されている。プッシュリモコン８０の構成とその動作については第４実施例と同様であるから説明を省略する。
【００８３】
プッシュリモコン８０は、戸当たり枠６１ａの上端角隅部にＬ字状のブラケット９６を介して、押しボタンスイッチ８２が引き戸６０ａ側を指向するように取り付けられている。また、戸当たり枠６１ａ側と対向する引き戸６０ａの側縁部には、Ｌ字状に形成されたフランジ９７が固定されている。当該フランジ９７は、引き戸６０ａを閉じたとき、プッシュリモコン８０の押しボタンスイッチ８２を押下するように形成されている。当該フランジ９７は、引き戸６０ａと別体に形成したものを固定しても、また引き戸６０ａの上端角隅部へ一体形成するようにしても良い。
これによって、プッシュリモコン８０は、図１９に示すように、開いていた引き戸６０ａを閉じたとき、フランジ９７に押されて動作し、第４実施例に記載したようにリモコン信号を受信ユニット４０，４０Ａ，４０Ｂへ向けて送信することができ、当該リモコン信号によって電子機器５０を遠隔操作することができる。
【００８４】
また、プッシュリモコン８０を固定するブラケット９６の長さを振動可能な所定の長さまで延伸し、対向するフランジ９７もまた所定の長さまで延伸しても良い。これにより、引き戸６０ａを閉じたとき、フランジ９７で押されたブラケット９６は、あたかも板バネのような挙動を示し、所定時間振動することができる。当該振動は、所定時間に亘って押しボタンスイッチ８２へ伝えられる。
これによって、押しボタン８４で押下されるボタン杵８４ｂに取り付けた磁石９１は、所定時間振動するので、磁石９１とコイル９０は複数回に亘って接近離反を繰り返して起電力を生じ続けることができる。そして、起電力が生じ続けることによって、発電時間を延ばすことができ、ひいてはリモコン信号の出力を上げたり、またリモコン信号の強度を高めて信号到達範囲を広げることができる。
【００８５】
さらにまた、フランジ９７でプッシュリモコン８０を操作するようにした本実施例の引き戸６０ａの他にも、引き戸６０ａの側縁又は戸当たり枠６１ａに凹部を設け、当該凹部へプッシュリモコン８０を埋設するようにしても良い。そして、引き戸６０ａが開放されているとき、押しボタン８４のボタン頭部８４ａが露出し、引き戸６０ａを閉じたときに、当該ボタン頭部８４ａが引き戸６０ａの側縁又は戸当たり枠６１ａと面一になるようにすれば、プッシュリモコン８０を隠すことができるので、両引き戸１０Ａの見栄えを従来の引き戸と変わらないようにすることができる。
【００８６】
無線通信回線３０を通じてリモコン信号を受信する受信ユニット４０，４０Ａ，４０Ｂは第１実施例と同様であるから説明を省略する。受信ユニット４０，４０Ａ，４０Ｂが接続される各電子機器５０についても第１実施例と同様であるから説明を省略する。
【００８７】
本実施例に係る建具に設けたプッシュリモコン８０によれば、両引き戸１０Ａの引き戸６０ａの開閉動作に連動してプッシュリモコン８０の押しボタンスイッチ８２を押下し、起電力を生じさせて、リモコン信号を受信ユニット４０，４０Ａ，４０Ｂへ送信するようにした。これによって、家庭用１００Ｖ交流電源や乾電池といった別の電源を確保することなく、自前の電源を確保することができるので、たとえば電池を交換することなく半永久的にプッシュリモコン８０を使用することができる。
また、本実施例に係るプッシュリモコン８０によれば、引き戸６０ａ側にはフランジ９７のみを固定し、戸当たり枠６１ａにプッシュリモコンをブラケット９６を介して取り付けるようにしたので、取り付け作業を容易に行うことができる。
【実施例６】
【００８８】
続いて、本願発明に係る建具の第６実施例を添付した図面にしたがって説明する。
本実施例に係る建具は、第１実施例に示した片開きドア１０であって、特に当該片開きドア１０を開閉するためのレバーハンドル１３，１３に関するものである。図２０は、本実施例に係るレバーハンドルの構成の概略を示す分解斜視図であり、図２１は、本実施例に係るレバーハンドルの構成の概略を示す端面図である。
【００８９】
レバーハンドル１３，１３は、図１に示すように、片開きドア１０の他側縁１０ｂ側には腰高の高さに片開きドア１０を挟んで対を成すように配されている。図２０では、片開きドア１０と、ドア枠１１の図示を省略している。本実施例ではレバーハンドルを例示したが、これに限定されず、握り玉状のドアノブであっても良い。
【００９０】
レバーハンドル１３，１３は、レバーハンドル１３，１３の回動に連動して回動可能な軸１００で連結されている。当該軸１００は、ラッチボルト１４の末端部に係合されている。そして、軸１００の回動動作は、ラッチボルト１４が片開きドア１０の側縁から出入りする進退動作に変換されるように形成されている。
ラッチボルト１４の先端部は、片開きドア１０を閉じたとき、ドア枠１１側のラッチストライク１０１に挿嵌される。
ラッチストライク１０１は、ラッチストライクボックス１０１ａと、当該ラッチストライクボックス１０１ａを覆蓋固定するラッチストライクプレート１０１ｂからなる。当該ラッチストライクプレート１０１ｂは、中央部にラッチボルト１４の断面形状より一回り大きな穴が形成されている。ラッチストライクボックス１０１ａをラッチストライクプレート１０１ｂで覆蓋固定することによって、ドア枠１１からラッチストライクボックス１０１ａが抜脱することを防止することができ、ラッチストライクボックス１０１ａへラッチボルト１４をスムーズに誘導することができる。
【００９１】
レバーハンドル１３，１３は、軸１００を中心にした中空体状の胴部１０２を有している。
図２１に示すように、胴部１０２は、内側面の所定の位置にコイル１０３が配置されている。コイル１０３は、鉄心からなるコアにワイヤを複数回巻回して形成されている。コイル１０３は、コイル出力端子を有し、当該コイル出力端子は、第１実施例に示した送信手段２１の電源入力端子に接続されている。送信手段２１を収めた筐体２１ａは、胴部１０２の内側の所定の位置に配されている（図示略）。
【００９２】
そして、軸１００は、図２１に示すように、断面円形状の一部を切り欠いて、コイル１０３と対向する所定の位置に磁石１０４が配置されている。本実施例において、磁石１０４は、軸１００の一部を切り欠いて取り付けたがこれに限定されるものでなく、たとえば、軸１００に凹部を設けて、当該凹部に磁石１０４を埋設したり、軸１００のコイル１０３と対向する部分を磁化するようにしても良い。
これによって、レバーハンドル１３を回動させて片開きドア１０を開閉するたびに、磁石１０４とコイル１０３が接近離反し、起電力を生じさせるようにすることができる。発電された電力は、コイル出力端子から電源入力端子へ出力され、当該電力によってリモコン信号が生成され、受信ユニット４０，４０Ａ，４０Ｂへ送信されるように形成されている。当該リモコン信号の送信に係る送信手段２１については、第１実施例と同様であるから説明を省略する。
【００９３】
また、たとえば、軸１００に当該軸１００の回動と同軸上で揺動するはずみ車を設け、当該はずみ車に磁石１０４を取り付けて、レバーハンドル１３を回動させたときに、所定時間磁石１０４が振動するように形成しても良い。
この場合、レバーハンドル１３が元の位置に戻って停止した後でも、磁石１０４は振動し続ける。そのため、磁石１０４とコイル１０３が繰り返し接近離反し、所定時間に亘って発電することができる。これによって、発電時間を延ばすことができ、ひいてはリモコン信号の出力を上げたり、またリモコン信号の強度を高めて信号到達範囲を広げることができる。
【００９４】
無線通信回線３０を通じてリモコン信号を受信する受信ユニット４０，４０Ａ，４０Ｂは第１実施例と同様であるから説明を省略する。受信ユニット４０，４０Ａ，４０Ｂが接続される各電子機器５０についても第１実施例と同様であるから説明を省略する。
【００９５】
本実施例に係る建具が有するレバーハンドル１３，１３によれば、片開きドア１０を開閉するための回動動作にともなって、コイル１０３と磁石１０４を接近離反させて起電力を生じさせて、リモコン信号を受信ユニット４０，４０Ａ，４０Ｂへ送信するようにした。これによって、家庭用１００Ｖ交流電源や乾電池といった別の電源を確保することなく、自前の電源を確保することができるので、たとえば電池を交換することなく半永久的に使用することができる。
また、本実施例に係るレバーハンドル１３，１３によれば、当該レバーハンドル１３，１３の胴部１０２内部にコイル１０３、磁石１０４、並びに送信手段２１を収めた筐体２１ａを配置するようにした。これにより、取り付け作業を容易に行うことができ、また胴部１０２をＯリングやパッキンで容易に密封できるので防水性を高めることができ、屋外でも容易に使用することができる。
【実施例７】
【００９６】
続いて、本願発明に係る建具の第７実施例を添付した図面にしたがって説明する。
本実施例に係る建具は、第３実施例に示したスイング窓１０Ｂであって、特に当該スイング窓１０Ｂを窓枠１１Ｂに固定するためのロックレバー７６に関するものである。図２２は本実施例に係るスイング窓の下端部近傍を拡大した部分拡大図であって、図２３は本実施例に係るロックレバーの構成の概略を示す説明図、図２４は、本実施例に係るロックレバーの動作を説明する説明図である。
【００９７】
ロックレバー７６は、短辺７６ａと長辺７６ｂを備えた略Ｌ字状に形成され、ロックレバー短辺７６ａが窓枠１１Ｂの下側横枠７１ｂに設けたストッパ７７と係合するように形成されている。また、ロックレバー７６は回動自在にベース７８へ軸支されている。
ロックレバー短辺７６ａの裏側であって、ベース７８と対向する側面には、凹部が形成されている。当該凹部には磁石１１０が埋め込まれている。なお、ロックレバー短辺７６ａのベース７８と対向する裏側面の一部を磁化するようにしても良い。
ベース７８の表面側には、コイル１１１が配されている。当該コイル１１１は、コアにワイヤを複数回巻回して形成されている。これによって、磁石１１０とコイル１１１は対向するので、ロックレバー７６の正逆方向の回動にともなって、磁石１１０とコイル１１１は接近離反し、起電力を生じることができる。
コイル１１１は、コイル出力端子（図示略）を有している。コイル出力端子は、第１実施例と同様に送信手段２１の電力入力端子と接続されている。送信手段２１については、第１実施例と同様であるから説明を省略する。また、送信手段２１を収めた筐体２１ａは、好ましくはベース７８内部に配されている。
【００９８】
無線通信回線３０を通じてリモコン信号を受信する受信ユニット４０，４０Ａ，４０Ｂは第１実施例と同様であるから説明を省略する。受信ユニット４０，４０Ａ，４０Ｂが接続される各電子機器５０についても第１実施例と同様であるから説明を省略する。
【００９９】
本実施例に係る建具が有するロックレバー７６によれば、スイング窓１０Ｂを開放するとき、又は閉鎖した後で窓枠１１Ｂへロックするとき、当該ロックレバー７６の回動動作にともなって、コイル１１１と磁石１１０を接近離反させて起電力を生じさせて、リモコン信号を受信ユニット４０，４０Ａ，４０Ｂへ送信するようにした。これによって、家庭用１００Ｖ交流電源や乾電池といった別の電源を確保することなく、自前の電源を確保することができるので、たとえば電池を交換することなく半永久的に使用することができる。
また、本実施例に係るロックレバー７６によれば、ベース７８内部にコイル１０３と送信手段２１の筐体２１ａ収めることができる。これにより、装置の小型化を図ることができ、ベース７８の見栄えもそのままに使うことができる。
【実施例８】
【０１００】
続いて、本願発明に係る建具の第８実施例を添付した図面にしたがって説明する。
本実施例に係る建具は両引き戸１０Ａであって、特に引き戸を施錠するためのクレセント錠に関する。両引き戸１０Ａの構成については、第２実施例と同様であるから説明を省略する。図２５は、本実施例に係る両引き戸の合わせ部を拡大した部分拡大図である。
両引き戸１０Ａは、引き戸６０ａと引き戸６０ｂを幅方向に沿って並設したとき、両引き戸１０Ａの対向する側縁が重なり合うことで合わせ部６２が形成される。当該合わせ部６２には、図２５に示すように、引き戸６０ａ側にクレセント錠１２０が配され、引き戸６０ｂ側には当該クレセント錠１２０が係合する錠受け１２１が配されている。
【０１０１】
クレセント錠１２０は、クレセント錠本体１２２と、ベース１２３とからなる。クレセント錠本体１２２は、略半円状の係合部１２２ａの末端につまみ片１２２ｂを連接形成して略半Ω字状に形成されている。ベース１２３は、クレセント錠本体１２２を回動可能に軸支するように形成されている。
クレセント錠本体１２２の係合部１２２ａの先端近傍には、薄片状の磁石１２４が取り付けられている。なお、薄片磁石１２４に替えて当該部位を磁化しても良い。
【０１０２】
錠受け１２１は、基部を引き戸６０ｂ側の合わせ部６２に固定し、先端をコの字状に折り曲げた金属片からなる。当該先端部は、クレセント錠本体１２２の係合部１２２ａと係合するように形成されている。また当該先端部はワイヤを複数回巻回してコイル１２５が形成されている。コイル１２５はコイル出力端子（図示略）を有し、当該コイル出力端子は、筐体２１ａに収められた送信手段２１の電力入力端子へ接続されている。送信手段は、第１実施例と同様であるから説明を省略する。
引き戸６０ａ側のクレセント錠本体１２２の係合部１２２ａを、引き戸６０ｂ側の錠受け１２１に係合することによって、両引き戸１０Ａを施錠することができる。
【０１０３】
そして、クレセント錠本体１２２の回動にともなって、磁石１２４とコイル１２５は接近離反し、コイル１２５には起電力が生じる。発電された電力は、電力入力端子を介して送信手段２１に送られる。送信手段２１は、供給された電力を基にリモコン信号を生成送信し、電子機器５０を遠隔操作する。
【０１０４】
無線通信回線３０を通じてリモコン信号を受信する受信ユニット４０，４０Ａ，４０Ｂは第１実施例と同様であるから説明を省略する。受信ユニット４０，４０Ａ，４０Ｂが接続される各電子機器５０についても第１実施例と同様であるから説明を省略する。
【０１０５】
本実施例に係る建具が有するクレセント錠１２０によれば、両引き戸１０Ａを開放するとき、又は閉鎖した後で施錠するとき、当該クレセント錠本体１２２の回動動作にともなって、コイル１２５と磁石１２４を接近離反させて起電力を生じさせて、リモコン信号を受信ユニット４０，４０Ａ，４０Ｂへ送信するようにした。これによって、家庭用１００Ｖ交流電源や乾電池といった別の電源を確保することなく、自前の電源を確保することができるので、たとえば電池を交換することなく半永久的に使用することができる。
【実施例９】
【０１０６】
続いて、本願発明に係る建具の第９実施例を添付した図面にしたがって説明する。
本実施例に係る建具は両引き戸１０Ａであって、特に引き戸１０Ａを施錠するためのクレセント錠に関する。図２６は本実施例に係る両引き戸の合わせ部近傍を拡大した部分拡大図であって、図２７は、本実施例に係る両引き戸の施錠手段であるクレセント錠の構成の概略を説明する説明図である。
本実施例に係るクレセント錠１２０Ａの構成の概略については、第８実施例に示したクレセント錠１２０と同様であるから説明を省略する。本実施例に係るクレセント錠１２０Ａは、引き戸６０ａの側縁部に固定したベース１２３にクレセント錠本体１２２のつまみ片１２２ｂを係止するロックボタン１２６が設けられている。当該ロックボタン１２６の有無が第８実施例との相違点である。
【０１０７】
ロックボタン１２６は、図２７に示すように、上面前端が切り欠かれて切欠部１２６ａが形成されている。また、ベース１２３内には、ロックボタン１２６の下面と対向するように板バネ１２７が配置されている。板バネ１２７は、ロックボタン１２６下面を当該ロックボタン１２６の上面側に向って付勢するように形成されている。
ここで、クレセント錠１２０Ａを施錠するときには、つまみ片１２２ｂがロックボタン１２６の切欠部１２６ａ上面、ロックボタン１２６上面と滑動することによって、当該つまみ片１２２ｂがロックボタン１２６を下方に押し下げる。そして、つまみ片１２２ｂがロックボタン１２６上面を通り過ぎると、ロックボタン１２６は板バネ１２７によって上方へ付勢されて、元の位置に復帰する。これにより、当該ロックボタン１２６は、クレセント錠本体１２２が逆方向に回動しないようにつまみ片１２２ｂを自動的に係止することができる。
【０１０８】
板バネ１２７は、先端部１２７ａに磁石１２８が取り付けられ、後端部１２７ｂがベース１２７内に固定されている。なお、板バネ１２７の先端部１２７ａに磁石１２８を取り付けることに替えて、先端部１２７ａの当該部位を磁化させても良い。
また、磁石１２８と対向するように、ベース１２３内にはコイル１２９が配されている。コイル１２９は、コアにワイヤを複数回巻回して形成されている。コイル１２９は、コイル出力端子を有し、当該コイル出力端子は、送信手段２１の電力入力端子に接続されている。送信手段２１を収めた筐体２１ａは、ベース１２３近傍であって引き戸６０ａの側縁に固定されている。送信手段２１の構成については第１実施例と同様であるから説明を省略する。
【０１０９】
クレセント錠本体１２２を回動して施錠するとき、つまみ片１２２ｂがロックボタン１２６を押し下げる。このとき、板バネ１２７もまた押し下げられ、板バネ１２７の先端部１２７ａに設けた磁石と、当該磁石１２８に対向するコイル１２９は離反する。そして施錠が完了し、板バネ１２７が元の位置に戻るとき、磁石１２８とコイル１２９は接近する。
また、クレセント錠本体１２２を回動して解錠するとき、ロックボタン１２６を押し下げてつまみ片１２２ｂを手前側に引き起こす。このとき、板バネ１２７もまた押し下げられ、板バネ１２７の先端部１２７ａに設けた磁石１２８と、当該磁石１２８に対向するコイル１２９は離反する。そして解錠が完了すると、ロックボタン１２６は元の位置に戻るので、それに合わせて板バネ１２７も元の位置に戻り、磁石１２８とコイル１２９は接近する。
このように、クレセント錠１２０Ａの回動にともなって、磁石１２８とコイル１２９は接近離反し、コイル１２９に起電力が生じる。発電された電力は、電力入力端子を介して送信手段２１に送られる。送信手段２１は、供給された電力を基にリモコン信号を生成送信し、電子機器５０を遠隔操作する。
【０１１０】
また、磁石１２８を取り付けた板バネ１２７が、ロックボタン１２６を元の位置に復原させた後も振動可能となるように所定の長さまで延伸しても良い。これにより、クレセント錠１２０Ａの回動にともなって、板バネ１２７は、施解錠の完了後も所定時間振動することができる。これによって、磁石１２８もまた所定時間振動するので、磁石１２８とコイル１２９は複数回に亘って接近離反を繰り返して起電力を生じ続けることができる。そして、起電力が生じ続けることによって、発電時間を延ばすことができ、ひいてはリモコン信号の出力を上げたり、またリモコン信号の強度を高めて信号到達範囲を広げることができる。
【０１１１】
無線通信回線３０を通じてリモコン信号を受信する受信ユニット４０，４０Ａ，４０Ｂは第１実施例と同様であるから説明を省略する。受信ユニット４０，４０Ａ，４０Ｂが接続される各電子機器５０についても第１実施例と同様であるから説明を省略する。
【０１１２】
本実施例に係る建具が有するクレセント錠１２０Ａによれば、両引き戸１０Ａを開放するとき、又は閉鎖した後で施錠するとき、当該クレセント錠本体１２２の回動動作にともなって、磁石１２８とコイル１２９を接近離反させて起電力を生じさせて、リモコン信号を受信ユニット４０，４０Ａ，４０Ｂへ送信するようにした。これによって、家庭用１００Ｖ交流電源や乾電池といった別の電源を確保することなく、自前の電源を確保することができるので、たとえば電池を交換することなく半永久的に使用することができる。
【０１１３】
以上説明した第１実施例から第９実施例に係る建具によれば、磁石とコイルを用いて起電力を生じさせて、発生した電力を使ってリモコン信号を電子機器、たとえばデジタルカメラや電子チャイム装置に送信して遠隔操作するようにした。これにより、あたかもセンサを使用したかのように、建具の開閉又は施錠を検知することができる。
また、起電手段で生成した電力を傍らの送信手段へ供給するようにすると共に、リモコン信号によって電子機器を無線で遠隔操作するようにした。これにより、家庭用１００Ｖ電源又は乾電池等のバッテリーを用いずとも使用することができるので、配線を簡略化することができる。
さらに、磁石とコイルの他には送信手段を収めた筐体という簡単な構造のため、Ｏリングやパッキンで密封する防水加工を容易に行うことができる。これにより、屋外に面した建具であっても取り付けることができる。
【０１１４】
なお、第１実施例から第９実施例に係る建具について、以上説明したような開閉の都度リモコン信号を送信したり、磁石又はコイルを長時間振動させて発電時間を延ばしたりすることに限定されず、発電した電力をバッテリー或いはコンデンサ又はこれらに類する蓄電可能なデバイスに蓄電し、蓄電された電力によって、任意のタイミングでリモコン信号を送信して電子機器５０を動作させるようにしても良い。
【符号の説明】
【０１１５】
１０…片開きドア、１０Ａ…両引き戸、１０Ｂ…スイング窓、
２２、９１、１０４、１１０、１２４、１２８…磁石、
２３、９０、１０３、１１１、１２５、１２９…コイル。
【図１】
2016079579.tif 000003
【図２】
2016079579.tif 000004
【図３】
2016079579.tif 000005
【図４】
2016079579.tif 000006
【図５】
2016079579.tif 000007
【図６】
2016079579.tif 000008
【図７】
2016079579.tif 000009
【図８】
2016079579.tif 000010
【図９】
2016079579.tif 000011
【図１０】
2016079579.tif 000012
【図１１】
2016079579.tif 000013
【図１２】
2016079579.tif 000014
【図１３】
2016079579.tif 000015
【図１４】
2016079579.tif 000016
【図１５】
2016079579.tif 000017
【図１６】
2016079579.tif 000018
【図１７】
2016079579.tif 000019
【図１８】
2016079579.tif 000020
【図１９】
2016079579.tif 000021
【図２０】
2016079579.tif 000022
【図２１】
2016079579.tif 000023
【図２２】
2016079579.tif 000024
【図２３】
2016079579.tif 000025
【図２４】
2016079579.tif 000026
【図２５】
2016079579.tif 000027
【図２６】
2016079579.tif 000028
【図２７】
2016079579.tif 000029